(57)【要約】【課題】  調査票だけで回答データを自動的に検査し，不具合のあるものを検出できる回答検査システムを提供する。【解決手段】  回答検査システム１０において，調査票発行装置１００は，調査票に，回答を検査するために必要な情報を検査情報として埋め込む検査情報埋め込み部１０２を備え，回答検査装置１２０は，調査票に埋め込まれた検査情報を取り出す検査情報取り出し部１２２と，回答済みの調査票が入力されて回答データ化する回答データ入力部１２３と，検査情報に基づき回答データを検査する回答検査部１２４とを備えたことを特徴とする。かかる構成によれば，回答データの検査に必要な情報を調査票に埋め込み印刷し，そして回答データを検査する際には回答済みの調査票から検査に必要な情報を読み出し，回答データを検査することが可能である。【選択図】  図１
2005050216.tif 000002
【特許請求の範囲】
【請求項１】
調査票を発行する調査票発行装置と，前記調査票の設問への回答を検査する回答検査装置とを含む回答検査システムにおいて，
前記調査票発行装置は，
前記調査票に，回答を検査するために必要な情報を検査情報として埋め込む検査情報埋め込み部を備え，
前記回答検査装置は，
前記調査票に埋め込まれた検査情報を取り出す検査情報取り出し部と，
回答済みの調査票が入力されて回答データ化する回答データ入力部と，
前記検査情報に基づき前記回答データを検査する回答検査部と，
を備えたことを特徴とする，回答検査システム。
【請求項２】
前記検査情報埋め込み部は，前記調査票に，ページ番号に関する情報を前記検査情報として埋め込み，
前記回答検査装置は，前記ページ番号に関する情報をもとに，前記検査情報取り出し部が取り出した各ページごとの前記検査情報を保存する検査情報保存部をさらに備えたことを特徴とする，請求項１に記載の回答検査システム。
【請求項３】
前記検査情報埋め込み部は，前記調査票に，回答の自動データ化に必要なデータ化情報をさらに埋め込み，
前記検査情報保存部は，前記データ化情報をさらに保存することを特徴とする，請求項２に記載の回答検査システム。
【請求項４】
前記検査情報埋め込み部は，前記調査票に，ページ番号に関する情報を前記検査情報として埋め込み，
前記調査票発行装置は，前記ページ番号に関する情報をもとに，前記検査情報埋め込み部が埋め込んだ各ページごとの前記検査情報を保存する検査情報保存部をさらに備えたことを特徴とする，請求項１〜３のいずれかに記載の回答検査システム。
【請求項５】
前記回答検査装置は，
前記回答検査部による検査結果を出力する出力部と，
前記検査結果をもとに，前記出力された回答データを修正するための修正データが入力される修正部と，
をさらに備えたことを特徴とする，請求項１〜４のいずれかに記載の回答検査システム。
【請求項６】
前記検査情報は，前記設問への回答がチェックボックスへの回答であるときに，チェックボックスへの回答数制限に関する情報を含むことを特徴とする，請求項１〜５のいずれかに記載の回答検査システム。
【請求項７】
前記検査情報は，前記設問への回答の前提となる回答前提設問に関する情報を含むことを特徴とする，請求項１〜６のいずれかに記載の回答検査システム。
【請求項８】
前記検査情報は，前記設問への回答がチェックボックスへの回答であるときに，各チェックボックスへの回答の前提となるチェック前提設問に関する情報を含むことを特徴とする，請求項１〜７のいずれかに記載の回答検査システム。
【請求項９】
前記検査情報は，前記設問への回答が自由記載欄への数値記入であるときに，数値記入可能な数値範囲に関する情報を含むことを特徴とする，請求項１〜８のいずれかに記載の回答検査システム。
【請求項１０】
前記検査情報埋め込み部は，電子透かし，バーコード，または２次元バーコードのうち，いずれかを用いてあるいは２以上を組み合わせて用いて，前記調査票に前記検査情報を埋め込むことを特徴とする，請求項１〜９のいずれかに記載の回答検査システム。
【請求項１１】
調査票を発行する調査票発行装置であって，
前記調査票の設問への回答を検査するために必要な情報を検査情報として該調査票に埋め込む検査情報埋め込み部を備えたことを特徴とする，調査票発行装置。
【請求項１２】
前記検査情報埋め込み部は，前記調査票に，ページ番号に関する情報を前記検査情報として埋め込むことを特徴とする，請求項１１に記載の調査票発行装置。
【請求項１３】
前記ページ番号に関する情報をもとに，前記検査情報埋め込み部が埋め込んだ各ページごとの前記検査情報を保存する検査情報保存部をさらに備えたことを特徴とする，請求項１２に記載の調査票発行装置。
【請求項１４】
前記検査情報埋め込み部は，前記調査票に，回答の自動データ化に必要なデータ化情報をさらに埋め込むことを特徴とする，請求項１１〜１３のいずれかに記載の調査票発行装置。
【請求項１５】
前記検査情報は，前記設問への回答がチェックボックスへの回答であるときに，チェックボックスへの回答数制限に関する情報を含むことを特徴とする，請求項１１〜１４のいずれかに記載の調査票発行装置。
【請求項１６】
前記検査情報は，前記設問への回答の前提となる回答前提設問に関する情報を含むことを特徴とする，請求項１１〜１５のいずれかに記載の調査票発行装置。
【請求項１７】
前記検査情報は，前記設問への回答がチェックボックスへの回答であるときに，各チェックボックスへの回答の前提となるチェック前提設問に関する情報を含むことを特徴とする，請求項１１〜１６のいずれかに記載の調査票発行装置。
【請求項１８】
前記検査情報は，前記設問への回答が自由記載欄への数値記入であるときに，数値記入可能な数値範囲に関する情報を含むことを特徴とする，請求項１１〜１７のいずれかに記載の調査票発行装置。
【請求項１９】
検査情報埋め込み部は，電子透かし，バーコード，または２次元バーコードのうち，いずれかを用いてあるいは２以上を組み合わせて用いて，前記調査票に前記検査情報を埋め込むことを特徴とする，請求項１１〜１８のいずれかに記載の調査票発行装置。
【請求項２０】
調査票の設問への回答を検査する回答検査装置であって，
前記調査票に埋め込まれた，回答を検査するために必要な検査情報を取り出す検査情報取り出し部と，
回答済みの前記調査票が入力されて回答データ化する回答データ入力部と，
前記検査情報に基づき前記回答データを検査する回答検査部と，
を備えたことを特徴とする，回答検査装置。
【請求項２１】
前記調査票に埋め込まれたページ番号に関する情報をもとに，前記検査情報取り出し部が取り出した各ページごとの前記検査情報を保存する検査情報保存部をさらに備えたことを特徴とする，請求項２０に記載の回答検査装置。
【請求項２２】
前記検査情報保存部は，前記調査票に埋め込まれた，回答の自動データ化に必要なデータ化情報をさらに保存することを特徴とする，請求項２０または２１に記載の回答検査装置。
【請求項２３】
前記回答検査部による検査結果を出力する出力部と，前記検査結果をもとに，前記出力された回答データを修正するための修正データを入力する修正部と，をさらに備えたことを特徴とする，請求項２０〜２２のいずれかに記載の回答検査装置。
【請求項２４】
前記検査情報は，前記設問への回答がチェックボックスへの回答であるときに，チェックボックスへの回答数制限に関する情報を含むことを特徴とする，請求項２０〜２３のいずれかに記載の回答検査装置。
【請求項２５】
前記検査情報は，前記設問への回答の前提となる回答前提設問に関する情報を含むことを特徴とする，請求項２０〜２４のいずれかに記載の回答検査装置。
【請求項２６】
前記検査情報は，前記設問への回答がチェックボックスへの回答であるときに，各チェックボックスへの回答の前提となるチェック前提設問に関する情報を含むことを特徴とする，請求項２０〜２５のいずれかに記載の回答検査装置。
【請求項２７】
前記検査情報は，前記設問への回答が自由記載欄への数値記入であるときに，数値記入可能な数値範囲に関する情報を含むことを特徴とする，請求項２０〜２６のいずれかに記載の回答検査装置。
【請求項２８】
前記検査情報は，電子透かし，バーコード，または２次元バーコードのうち，いずれかを用いてあるいは２以上を組み合わせて用いて，前記調査票に埋め込まれていることを特徴とする，請求項２０〜２７のいずれかに記載の回答検査装置。
【請求項２９】
調査票を発行する調査票発行方法であって，
前記調査票の設問への回答を検査するために必要な情報を検査情報として該調査票に埋め込む検査情報埋め込み工程を含むことを特徴とする，調査票発行方法。
【請求項３０】
前記検査情報埋め込み工程において，前記調査票に，ページ番号に関する情報を前記検査情報として埋め込むことを特徴とする，請求項２９に記載の調査票発行方法。
【請求項３１】
前記ページ番号に関する情報をもとに，前記検査情報埋め込み工程において埋め込んだ各ページごとの前記検査情報を保存する工程をさらに含むことを特徴とする，請求項３０に記載の調査票発行方法。
【請求項３２】
前記検査情報埋め込み工程において，前記調査票に，回答の自動データ化に必要なデータ化情報をさらに埋め込むことを特徴とする，請求項２９〜３１のいずれかに記載の調査票発行方法。
【請求項３３】
前記検査情報は，前記設問への回答がチェックボックスへの回答であるときに，チェックボックスへの回答数制限に関する情報を含むことを特徴とする，請求項２９〜３２のいずれかに記載の調査票発行方法。
【請求項３４】
前記検査情報は，前記設問への回答の前提となる回答前提設問に関する情報を含むことを特徴とする，請求項２９〜３３のいずれかに記載の調査票発行方法。
【請求項３５】
前記検査情報は，前記設問への回答がチェックボックスへの回答であるときに，各チェックボックスへの回答の前提となるチェック前提設問に関する情報を含むことを特徴とする，請求項２９〜３４のいずれかに記載の調査票発行方法。
【請求項３６】
前記検査情報は，前記設問への回答が自由記載欄への数値記入であるときに，数値記入可能な数値範囲に関する情報を含むことを特徴とする，請求項２９〜３５のいずれかに記載の調査票発行方法。
【請求項３７】
前記検査情報埋め込み工程において，電子透かし，バーコード，または２次元バーコードのうち，いずれかを用いてあるいは２以上を組み合わせて用いて，前記調査票に前記検査情報を埋め込むことを特徴とする，請求項２９〜３６のいずれかに記載の調査票発行方法。
【請求項３８】
調査票の設問への回答を検査する回答検査方法であって，
前記調査票に埋め込まれた，回答を検査するために必要な検査情報を取り出す検査情報取り出し工程と，
回答済みの前記調査票が入力されて回答データ化する回答データ入力工程と，
前記検査情報に基づき前記回答データを検査する回答検査工程と，
を含むことを特徴とする，回答検査方法。
【請求項３９】
前記調査票に埋め込まれたページ番号に関する情報をもとに，前記検査情報取り出し工程において取り出した各ページごとの前記検査情報を保存する検査情報保存工程をさらに含むことを特徴とする，請求項３８に記載の回答検査方法。
【請求項４０】
前記検査情報保存工程において，前記調査票に埋め込まれた，回答の自動データ化に必要なデータ化情報をさらに保存することを特徴とする，請求項３９に記載の回答検査方法。
【請求項４１】
前記回答検査工程による検査結果を出力する出力工程と，前記検査結果をもとに，前記出力された回答データを修正するための修正データを入力する修正工程と，をさらに含むことを特徴とする，請求項３８〜４０のいずれかに記載の回答検査方法。
【請求項４２】
前記検査情報は，前記設問への回答がチェックボックスへの回答であるときに，チェックボックスへの回答数制限に関する情報を含むことを特徴とする，請求項３８〜４１のいずれかに記載の回答検査方法。
【請求項４３】
前記検査情報は，前記設問への回答の前提となる回答前提設問に関する情報を含むことを特徴とする，請求項３８〜４２のいずれかに記載の回答検査方法。
【請求項４４】
前記検査情報は，前記設問への回答がチェックボックスへの回答であるときに，各チェックボックスへの回答の前提となるチェック前提設問に関する情報を含むことを特徴とする，請求項３８〜４３のいずれかに記載の回答検査方法。
【請求項４５】
前記検査情報は，前記設問への回答が自由記載欄への数値記入であるときに，数値記入可能な数値範囲に関する情報を含むことを特徴とする，請求項３８〜４４のいずれかに記載の回答検査方法。
【請求項４６】
前記検査情報は，電子透かし，バーコード，または２次元バーコードのうち，いずれかを用いてあるいは２以上を組み合わせて用いて，前記調査票に埋め込まれていることを特徴とする，請求項３８〜４５のいずれかに記載の回答検査方法。
【発明の詳細な説明】
【技術分野】
【０００１】
本発明は，アンケート用紙などの調査票（書面）の設問への回答を検査する技術に関するものであり，特に，調査票発行装置，回答検査装置，およびこれらをシステム構成要素として含む回答検査システム，調査票発行方法，および回答検査方法に関するものである。
【背景技術】
【０００２】
従来，アンケート調査票の書面に記入された回答などの内容を処理するためには，例えば，特開平９−９７２５０号公報に記載の集計処理システムを利用して，調査票上の設問のタイプ（シングルアンサー，マルチアンサーなど）を指定し，端末からのキーパンチ入力時には設問のタイプから必要な入力カラムを端末上に設定し，集計時には設問のタイプ別に集計処理プログラムを用意し実行する必要があった。またキーパンチ入力に代わる回答内容のデータ化方法としては，例えば，特開平１１−２６５４２２号公報に記載のマーク認識方法を利用して，マークが未記入の書面とマーク記入後の書面の差分画像からマーク位置を認識する方法があった。
【０００３】
【特許文献１】特開平９−９７２５０号公報
【特許文献２】特開平１１−２６５４２２号公報
【発明の開示】
【発明が解決しようとする課題】
【０００４】
しかし，調査票の設問のタイプは設問構造情報として別途保管されるため，処理を行う際には正しい設問構造情報を指定する必要があった。またマーク位置の認識を自動的に行う場合にも，マークが未記入の書面の画像を指定して入力する必要があった。従って，それらのファイル等を別途保管する必要があり，また処理を行う側に予め準備する必要があるなど，作業が煩雑になる問題があった。
【０００５】
さらに，例えばシングルアンサー部分に複数の回答が記入されているものなど不適当な回答を検出するためには，回答内容のデータ（回答データ）を全数検査するか，またはデータを検査するプログラムを別途準備しなければならないといった問題があった。
【０００６】
従って，調査票だけで回答データを自動的に検査し，不具合のあるものを検出できる技術が求められていた。
【０００７】
本発明は，上記背景技術に鑑みてなされたものであり，本発明の目的は，調査票だけで回答データを自動的に検査し，不具合のあるものを検出することの可能な，新規かつ改良された回答検査システム，調査票発行装置，回答検査装置，調査票発行方法，および回答検査方法を提供することである。
【課題を解決するための手段】
【０００８】
上記課題を解決するため，本発明の第１の観点によれば，調査票を発行する調査票発行装置（１００）と，調査票の設問への回答を検査する回答検査装置（１２０）とを含む回答検査システム（１０）において，調査票発行装置（１００）は，調査票に，回答を検査するために必要な情報を検査情報として埋め込む検査情報埋め込み部（１０２）を備え，回答検査装置（１２０）は，調査票に埋め込まれた検査情報を取り出す検査情報取り出し部（１２２）と，回答済みの調査票が入力されて回答データ化する回答データ入力部（１２３）と，検査情報に基づき回答データを検査する回答検査部（１２４）とを備えたことを特徴とする，回答検査システムが提供される（請求項１）。
【０００９】
かかるシステムによれば，回答データの検査に必要な情報を調査票に埋め込み印刷し，そして回答データを検査する際には回答済みの調査票から検査に必要な情報を読み出し，回答データを検査することが可能である。本発明はこのようにして調査票への回答内容を検査する方法であるため，調査票だけで回答データを自動的に検査し，不具合のあるものを検出することが可能である。また，設問タイプや未記入書面の情報の管理，および回答データに対する全数検査や回答データの検査プログラムの準備などといった煩雑な作業が不要である。
【００１０】
上記本発明の回答検査システムにおいて，以下の応用が可能である。
【００１１】
検査情報埋め込み部は，調査票に，ページ番号に関する情報を検査情報として埋め込み，回答検査装置は，ページ番号に関する情報をもとに，検査情報取り出し部が取り出した各ページごとの検査情報を保存する検査情報保存部（５２５）をさらに備えることが可能である（請求項２）。検査情報が何らかの事情によって取り出せないことがある。例えば，検査情報がバーコードにより記載されている場合に，そのバーコード部分が汚れや破損などによって読み取り不可となっていることがある。この場合は読み込んだ調査票から検査情報が取り出せないため，すでに検査情報保存部（５２５）に保存されている検査情報のうちの１つを流用する検査情報として指定することで，検査を行うことが可能である。
【００１２】
また，検査情報埋め込み部は，調査票に，回答の自動データ化に必要なデータ化情報をさらに埋め込み，検査情報保存部は，データ化情報をさらに保存することが可能である（請求項３）。かかる構成によれば，調査票の回答内容を調査票だけで自動的にデータ化し，検査することができる。また，回答内容のデータ化に必要な情報もあわせて調査票に埋め込み印刷することで，マーク認識などの従来手法をキーパンチ入力に代わる回答内容のデータ化方法として採用することも可能である。これらの情報についても保存し再利用することもできる。また，類似の調査票を作成する作業の軽減や，読み取り失敗時でも別の調査票の情報を流用することで自動データ化を行うことが可能である。
【００１３】
また，検査情報埋め込み部は，調査票に，ページ番号に関する情報を検査情報として埋め込み，調査票発行装置は，ページ番号に関する情報をもとに，検査情報埋め込み部が埋め込んだ各ページごとの検査情報を保存する検査情報保存部（１１０４）をさらに備えることが可能である（請求項４）。かかる構成によれば，新しく作成する調査票の検査情報として，すでに保存されている検査情報の流用が可能である。検査情報は調査票に含まれるすべての設問および回答欄についての記述が必要であるが，一度ひな形となる検査情報を作成すれば流用することで少ない作業で検査情報を用意できる。従って，表形式の調査票など多数の回答欄を含む場合に，調査票の作成を効率的に行う点で有効である。また，類似の調査票を作成する作業の軽減を図ることが可能である。なお，検査情報にあわせてデータ化情報も保存し流用することもできる。
【００１４】
回答検査装置は，回答検査部による検査結果を出力する出力部と，検査結果をもとに，出力された回答データを修正するための修正データが入力される修正部と，をさらに備えることが可能である（請求項５）。かかる構成によれば，目視で確認を行い，必要に応じて回答データを修正することができるので，回答データの精度を高めることができる。
【００１５】
なお上記において，検査情報の具体例としては，例えば以下のものがある。
【００１６】
検査情報は，設問への回答がチェックボックスへの回答であるときに，チェックボックスへの回答数制限に関する情報を含むようにしてもよい（請求項６）。例えば，１つの設問に対して複数のチェックボックスが用意され，回答者がチェックボックスへ１または２以上回答を行えるような場合に，チェックボックスへの回答数制限を行うことができ，回答数がエラーであることを検査することができる。例えば，１つの設問に対して５つのチェックボックスが用意され，回答者がそのうち１つ〜３つ回答を行える場合に，４つまたは５つ回答されたこと，あるいは，１つも回答がなされていないことをエラーであると判断することできる。
【００１７】
検査情報は，設問への回答の前提となる回答前提設問に関する情報を含むようにしてもよい（請求項７）。例えば，ある設問（被前提設問）への回答にあたり，他の設問（前提設問）への回答がなされていることが前提となっているような場合に，前提設問に対して回答がなされていない状態で被前提設問への回答がなされたことをエラーであると判断することができる。
【００１８】
検査情報は，設問への回答がチェックボックスへの回答であるときに，各チェックボックスへの回答の前提となるチェック前提設問に関する情報を含むようにしてもよい（請求項８）。例えば，あるチェックボックス（被前提チェックボックス）への回答にあたり，他のチェックボックス（前提チェックボックス）への回答がなされていることが前提となっているような場合に，前提チェックボックスに対して回答がなされていない状態で被前提チェックボックスへの回答がなされたことをエラーであると判断することができる。また逆に，前提チェックボックスに対して回答がなされた状態で被前提チェックボックスへの回答がなされていないことをエラーであると判断することも可能である。
【００１９】
検査情報は，設問への回答が自由記載欄への数値記入であるときに，数値記入可能な数値範囲に関する情報を含むようにしてもよい（請求項９）。自由記載欄に回答者が数値を記入するような場合に，所定の数値範囲を逸脱する数値の記入がなされたことをエラーであると判断することができる。
【００２０】
また，検査情報埋め込み部は，電子透かし，バーコード，または２次元バーコードのうち，いずれかを用いてあるいは２以上を組み合わせて用いて，調査票に検査情報を埋め込むことが可能である（請求項１０）。特に，電子透かしを用いて検査情報を埋め込むことにより，検査情報を調査票の地紋として埋め込むことができるので，限られた紙面を占有しない点で好適である。
【００２１】
上記課題を解決するため，本発明の第２の観点によれば，調査票を発行する調査票発行装置（１００）であって，調査票の設問への回答を検査するために必要な情報を検査情報として該調査票に埋め込む検査情報埋め込み部（１０２）を備えたことを特徴とする，調査票発行装置が提供される（請求項１１）。
【００２２】
かかる構成によれば，回答データの検査に必要な情報を調査票に埋め込み印刷し，そして回答データを検査する際には回答済みの調査票から検査に必要な情報を読み出し，回答データを検査することが可能である。本発明はこのようにして調査票への回答内容を検査する方法であるため，調査票だけで回答データを自動的に検査し，不具合のあるものを検出することが可能である。また，設問タイプや未記入書面の情報の管理，および回答データに対する全数検査や回答データの検査プログラムの準備などといった煩雑な作業が不要である。
【００２３】
上記本発明の調査票発行装置において，以下の応用が可能である。
【００２４】
検査情報埋め込み部は，調査票に，ページ番号に関する情報を検査情報として埋め込むことが可能である（請求項１２）。かかる構成によれば，回答検査側において，ページ番号に関する情報をもとに，各ページごとの検査情報を保存することが可能となる。検査情報が何らかの事情によって取り出さない場合に，すでに保存されている検査情報のうちの１つを流用する検査情報として指定することで，検査を行うことが可能である。
【００２５】
上記のページ番号に関する情報をもとに，検査情報埋め込み部が埋め込んだ各ページごとの検査情報を保存する検査情報保存部（１１０４）をさらに備えたことができる（請求項１３）。かかる構成によれば，新しく作成する調査票の検査情報として，すでに保存されている検査情報の流用が可能である。検査情報は調査票に含まれるすべての設問および回答欄についての記述が必要であるが，一度ひな形となる検査情報を作成すれば流用することで少ない作業で検査情報を用意できる。従って，表形式の調査票など多数の回答欄を含む場合に，調査票の作成を効率的に行う点で有効である。また，類似の調査票を作成する作業の軽減を図ることが可能である。
【００２６】
検査情報埋め込み部は，調査票に，回答の自動データ化に必要なデータ化情報をさらに埋め込むことができる（請求項１４）。かかる構成によれば，調査票の回答内容を調査票だけで自動的にデータ化し，検査することができる。また，回答内容のデータ化に必要な情報もあわせて調査票に埋め込み印刷することで，マーク認識などの従来手法をキーパンチ入力に代わる回答内容のデータ化方法として採用することも可能である。これらの情報についても保存し再利用することもできる。また，類似の調査票を作成する作業の軽減や，読み取り失敗時でも別の調査票の情報を流用することで自動データ化を行うことが可能である。
【００２７】
なお上記において，検査情報の具体例としては，上記本発明の第１の観点にかかる回答検査システムと同様に，チェックボックスへの回答数制限に関する情報を含むようにしてもよく（請求項１５），回答前提設問に関する情報を含むようにしてもよく（請求項１６），チェック前提設問に関する情報を含むようにしてもよく（請求項１７），数値記入可能な数値範囲に関する情報を含むようにしてもよい（請求項１８）。
【００２８】
また，検査情報埋め込み部は，電子透かし，バーコード，または２次元バーコードのうち，いずれかを用いてあるいは２以上を組み合わせて用いて，調査票に検査情報を埋め込むことが可能である（請求項１９）。特に，電子透かしを用いて検査情報を埋め込むことにより，検査情報を調査票の地紋として埋め込むことができるので，限られた紙面を占有しない点で好適である。
【００２９】
上記課題を解決するため，本発明の第３の観点によれば，調査票の設問への回答を検査する回答検査装置（１２０）であって，調査票に埋め込まれた，回答を検査するために必要な検査情報を取り出す検査情報取り出し部（１２２）と，回答済みの調査票が入力されて回答データ化する回答データ入力部（１２３）と，検査情報に基づき回答データを検査する回答検査部（１２４）と，を備えたことを特徴とする，回答検査装置が提供される（請求項２０）。
【００３０】
上記本発明の回答検査装置において，以下の応用が可能である。
【００３１】
調査票に埋め込まれたページ番号に関する情報をもとに，検査情報取り出し部が取り出した各ページごとの検査情報を保存する検査情報保存部（５２５）をさらに備えることが可能である（請求項２１）。検査情報が何らかの事情によって取り出せないことがある。例えば，検査情報がバーコードにより記載されている場合に，そのバーコード部分が汚れや破損などによって読み取り不可となっていることがある。この場合は読み込んだ調査票から検査情報が取り出せないため，すでに検査情報保存部（５２５）に保存されている検査情報のうちの１つを流用する検査情報として指定することで，検査を行うことが可能である。
【００３２】
検査情報保存部は，調査票に埋め込まれた，回答の自動データ化に必要なデータ化情報をさらに保存することも可能である（請求項２２）。かかる構成によれば，調査票の回答内容を調査票だけで自動的にデータ化し，検査することができる。また，回答内容のデータ化に必要な情報もあわせて調査票に埋め込み印刷することで，マーク認識などの従来手法をキーパンチ入力に代わる回答内容のデータ化方法として採用することも可能である。これらの情報についても保存し再利用することもできる。また，類似の調査票を作成する作業の軽減や，読み取り失敗時でも別の調査票の情報を流用することで自動データ化を行うことが可能である。
【００３３】
回答検査部による検査結果を出力する出力部と，検査結果をもとに，出力された回答データを修正するための修正データを入力する修正部と，をさらに備えることが可能である（請求項２３）。かかる構成によれば，目視で確認を行い，必要に応じて回答データを修正することができるので，回答データの精度を高めることができる。
【００３４】
なお上記において，検査情報の具体例としては，上記本発明の第１，第２の観点にかかる回答検査システムと同様に，チェックボックスへの回答数制限に関する情報を含むようにしてもよく（請求項２４），回答前提設問に関する情報を含むようにしてもよく（請求項２５），チェック前提設問に関する情報を含むようにしてもよく（請求項２６），数値記入可能な数値範囲に関する情報を含むようにしてもよい（請求項２７）。
【００３５】
また，検査情報は，電子透かし，バーコード，または２次元バーコードのうち，いずれかを用いてあるいは２以上を組み合わせて用いて，調査票に埋め込まれているものとすることができる（請求項２８）。特に，電子透かしを用いて検査情報を埋め込むことにより，検査情報を調査票の地紋として埋め込むことができるので，限られた紙面を占有しない点で好適である。
【００３６】
上記課題を解決するため，本発明の第４の観点によれば，調査票を発行する調査票発行方法であって，調査票の設問への回答を検査するために必要な情報を検査情報として該調査票に埋め込む検査情報埋め込み工程を含むことを特徴とする，調査票発行方法が提供される（請求項２９）。
【００３７】
かかる方法によれば，回答データの検査に必要な情報を調査票に埋め込み印刷し，そして回答データを検査する際には回答済みの調査票から検査に必要な情報を読み出し，回答データを検査することが可能である。本発明はこのようにして調査票への回答内容を検査する方法であるため，調査票だけで回答データを自動的に検査し，不具合のあるものを検出することが可能である。また，設問タイプや未記入書面の情報の管理，および回答データに対する全数検査や回答データの検査プログラムの準備などといった煩雑な作業が不要である。
【００３８】
上記本発明の調査票発行方法において，以下の応用が可能である。
【００３９】
検査情報埋め込み工程において，調査票に，ページ番号に関する情報を検査情報として埋め込むことが可能である（請求項３０）。かかる構成によれば，回答検査側において，ページ番号に関する情報をもとに，各ページごとの検査情報を保存することが可能となる。検査情報が何らかの事情によって取り出さない場合に，すでに保存されている検査情報のうちの１つを流用する検査情報として指定することで，検査を行うことが可能である。
【００４０】
上記のページ番号に関する情報をもとに，検査情報埋め込み工程において埋め込んだ各ページごとの検査情報を保存する検査情報保存工程をさらに含むことができる（請求項３１）。かかる構成によれば，新しく作成する調査票の検査情報として，すでに保存されている検査情報の流用が可能である。検査情報は調査票に含まれるすべての設問および回答欄についての記述が必要であるが，一度ひな形となる検査情報を作成すれば流用することで少ない作業で検査情報を用意できる。従って，表形式の調査票など多数の回答欄を含む場合に，調査票の作成を効率的に行う点で有効である。また，類似の調査票を作成する作業の軽減を図ることが可能である。
【００４１】
検査情報埋め込み工程において，調査票に，回答の自動データ化に必要なデータ化情報をさらに埋め込むことができる（請求項３２）。かかる構成によれば，調査票の回答内容を調査票だけで自動的にデータ化し，検査することができる。また，回答内容のデータ化に必要な情報もあわせて調査票に埋め込み印刷することで，マーク認識などの従来手法をキーパンチ入力に代わる回答内容のデータ化方法として採用することも可能である。これらの情報についても保存し再利用することもできる。また，類似の調査票を作成する作業の軽減や，読み取り失敗時でも別の調査票の情報を流用することで自動データ化を行うことが可能である。
【００４２】
なお上記において，検査情報の具体例としては，上記本発明の第２の観点にかかる調査票発行装置と同様に，チェックボックスへの回答数制限に関する情報を含むようにしてもよく（請求項３３），回答前提設問に関する情報を含むようにしてもよく（請求項３４），チェック前提設問に関する情報を含むようにしてもよく（請求項３５），数値記入可能な数値範囲に関する情報を含むようにしてもよい（請求項３６）。
【００４３】
また，検査情報埋め込み工程において，電子透かし，バーコード，または２次元バーコードのうち，いずれかを用いてあるいは２以上を組み合わせて用いて，調査票に検査情報を埋め込むことが可能である（請求項３７）。特に，電子透かしを用いて検査情報を埋め込むことにより，検査情報を調査票の地紋として埋め込むことができるので，限られた紙面を占有しない点で好適である。
【００４４】
上記課題を解決するため，本発明の第５の観点によれば，調査票の設問への回答を検査する回答検査方法であって，調査票に埋め込まれた，回答を検査するために必要な検査情報を取り出す検査情報取り出し工程と，回答済みの調査票が入力されて回答データ化する回答データ入力工程と，検査情報に基づき回答データを検査する回答検査工程と，を含むことを特徴とする，回答検査方法が提供される（請求項３８）。
【００４５】
上記本発明の回答検査方法において，以下の応用が可能である。
【００４６】
調査票に埋め込まれたページ番号に関する情報をもとに，検査情報取り出し工程において取り出した各ページごとの検査情報を保存する検査情報保存工程をさらに含むことが可能である（請求項３９）。検査情報が何らかの事情によって取り出せないことがある。例えば，検査情報がバーコードにより記載されている場合に，そのバーコード部分が汚れや破損などによって読み取り不可となっていることがある。この場合は読み込んだ調査票から検査情報が取り出せないため，すでに検査情報保存工程において保存されている検査情報のうちの１つを流用する検査情報として指定することで，検査を行うことが可能である。
【００４７】
検査情報保存工程において，調査票に埋め込まれた，回答の自動データ化に必要なデータ化情報をさらに保存することも可能である（請求項４０）。かかる構成によれば，調査票の回答内容を調査票だけで自動的にデータ化し，検査することができる。また，回答内容のデータ化に必要な情報もあわせて調査票に埋め込み印刷することで，マーク認識などの従来手法をキーパンチ入力に代わる回答内容のデータ化方法として採用することも可能である。これらの情報についても保存し再利用することもできる。また，類似の調査票を作成する作業の軽減や，読み取り失敗時でも別の調査票の情報を流用することで自動データ化を行うことが可能である。
【００４８】
回答検査工程による検査結果を出力する出力工程と，検査結果をもとに，出力された回答データを修正するための修正データを入力する修正工程と，をさらに含むことが可能である（請求項４１）。かかる構成によれば，目視で確認を行い，必要に応じて回答データを修正することができるので，回答データの精度を高めることができる。
【００４９】
なお上記において，検査情報の具体例としては，上記本発明の第３の観点にかかる回答検査装置と同様に，チェックボックスへの回答数制限に関する情報を含むようにしてもよく（請求項４２），回答前提設問に関する情報を含むようにしてもよく（請求項４３），チェック前提設問に関する情報を含むようにしてもよく（請求項４４），数値記入可能な数値範囲に関する情報を含むようにしてもよい（請求項４５）。
【００５０】
また，検査情報は，電子透かし，バーコード，または２次元バーコードのうち，いずれかを用いてあるいは２以上を組み合わせて用いて，調査票に埋め込まれているものとすることができる（請求項４６）。特に，電子透かしを用いて検査情報を埋め込むことにより，検査情報を調査票の地紋として埋め込むことができるので，限られた紙面を占有しない点で好適である。
【００５１】
なお上記において，構成要素に付随して括弧書きで記した参照符号は，理解を容易にするため，後述の実施形態および図面における対応する構成要素および信号を一例として記したに過ぎず，本発明がこれに限定されるものではない。
【発明の効果】
【００５２】
以上説明したように，本発明によれば，回答データの検査に必要な情報を調査票に埋め込み印刷し，そして回答データを検査する際には回答済みの調査票から検査に必要な情報を読み出し，回答データを検査することが可能である。本発明はこのようにして調査票への回答内容を検査する方法であるため，調査票だけで回答データを自動的に検査し，不具合のあるものを検出することが可能である。また，設問タイプや未記入書面の情報の管理，および回答データに対する全数検査や回答データの検査プログラムの準備などといった煩雑な作業が不要である。
【発明を実施するための最良の形態】
【００５３】
以下に添付図面を参照しながら，本発明にかかる回答検査システム，調査票発行装置，回答検査装置，調査票発行方法，および回答検査方法の好適な実施の形態について詳細に説明する。なお，本明細書および図面において，実質的に同一の機能構成を有する構成要素については，同一の符号を付することにより重複説明を省略する。
【００５４】
（第１の実施の形態）
図１は，第１の実施の形態にかかる調査票の回答検査システム（以下，単に回答検査システムという。）の構成を示す説明図である。回答検査システム１０は，図１に示したように，調査票発行装置１００と，回答検査装置１２０を含んで構成され，調査票１１０のやり取りが行われるシステムである。
以下に，各システム構成について説明する。
【００５５】
（調査票発行装置１００）
調査票発行装置１００は，調査表画像作成部１０１と，検査情報埋め込み部１０２と，調査票印刷部１０３を含んで構成されている。調査票画像作成部１０１は調査票の書面を表す画像データを作成する部分であり，市販のワープロソフトや画像化ソフトを用いることにより可能である。検査情報埋め込み部１０２は作成した調査票の回答データを検査するために必要な情報を作成し，これを調査票画像に埋め込む部分である。調査票印刷部１０３は情報が埋め込まれた調査票画像を印刷する部分である。
【００５６】
（検査情報埋め込み部１０２）
本実施の形態に特徴的な構成要素である検査情報埋め込み部１０２について説明する。
まず，検査情報埋め込み部１０２が調査票に対して埋め込む検査情報について説明する。
検査情報とは，調査票の回答検査時に，調査票への回答にエラーがあることをオペレータに知らせるための情報である。検査情報の具体例としては，例えば以下のものがある。
【００５７】
・回答数制限情報
回答数制限情報は，設問への回答がチェックボックスへの回答であるときに，チェックボックスへの回答数制限に関する情報である。
・回答前提設問情報
回答前提設問情報は，設問への回答の前提となる設問（回答前提設問）に関する情報である。
・チェック前提設問情報
チェック設問情報は，設問への回答がチェックボックスへの回答であるときに，各チェックボックスへの回答の前提となる設問（チェック前提設問）に関する情報である。
・数値範囲情報
数値範囲情報は，設問への回答が自由記載欄への数値記入であるときに，数値記入可能な範囲に関する情報である。
【００５８】
上記のような検査情報を調査票に埋め込むことにより，調査票の回答検査時において，以下のような場合をエラーとして検出することができる。
・チェックボックスへの回答制限数を超えている場合
・回答欄への記入があるが，前提設問の回答欄に記入がない場合
・回答欄への記入がないが，前提設問の回答欄のいずれかに記入がある場合
・記入された数値が所定の数値範囲を超えている場合
このような場合には，調査票の回答検査時においてこれをエラーとして検出し，オペレータに修正を促す。
【００５９】
次いで，検査情報埋め込み部１０２による検査情報の埋め込み方法について説明する。
検査情報埋め込み部１０２による検査情報の埋め込み方法の一例として，特開２００３−１０１７６２「透かし情報埋め込み装置，および，透かし情報検出装置」に記載の技術を採用することができる。この文献に示された透かし画像埋め込み装置は，ドットの配列によって波の方向及び／又は波長を変化させたドットパターンを複数用意し，１つのドットパターンに対して１つのシンボルを与え，ドットパターンを組み合わせて配置することにより，文書に機密情報を与えるものである。本実施の形態では，検査情報埋め込み部１０２の機能を実現するにあたり，この文献に示された電子透かし技術を用いることができる。検査情報を調査票の地紋として埋め込むことができるので，限られた紙面を占有しない点で好適である。
【００６０】
上記文献に示された技術は，検査情報埋め込み部１０２の機能を実現するための一例に過ぎないため，より詳細な説明については省略する。検査情報埋め込み部１０２の機能を実現するために他の電子透かし技術や，あるいは，バーコードや二次元バーコードなどの技術を採用してもよいことは言うまでもない。
【００６１】
以上，調査票発行装置１００について説明した。
調査票発行装置１００で発行された調査票１１０は回答者に送られ，回答者が回答し，回答検査装置１２０に送られる。
次いで，回答検査装置１２０について説明する。
【００６２】
（回答検査装置１２０）
回答検査装置１２０は，調査票読み込み部１２１と，検査情報取り出し部１２２と，回答データ入力部１２３と，回答検査部１２４を含んで構成されている。調査票読み込み部１２１は送られてきた回答記入済みの調査票をスキャナで読み込む部分である。検査情報取り出し部１２２は検査情報埋め込み部１０２で埋め込んだ検査情報を取り出す部分である。この情報取り出しは検査情報の埋め込み方式に対応して行われる。回答データ入力部１２３は調査票への回答内容をキーパンチ入力してデータ化する部分である。回答検査部１２４は検査情報に基づき回答データを検査し，その結果がエラーの場合はオペレータに修正させる部分である。
【００６３】
回答検査部１２４の構成として，検査結果を出力するモニタやプリンタなどの出力部と，検査結果をもとに，回答データを修正するための修正データが入力されるキーボードやポインティングデバイスなどの修正部と，を含んで構成することができる。なお，回答検査部１２４の機能を回答データの検査のみとし，これら出力部や修正部を，回答検査部１２４とは別個の手段として設ける構成としてもよい。
【００６４】
以上，本実施の形態にかかる回答検査システム１０の構成について説明した。
次いで，上記のように構成される回答検査システム１０の動作について説明する。
まず，調査票発行装置１００の動作について，図２を参照しながら説明する。
【００６５】
まず，調査票画像作成部１０１にて調査票の書面を表す画像データを作成する（ステップＳ２０１）。これはオペレータが市販のワープロソフトや画像化ソフトを操作することにより行う。
【００６６】
次に，検査情報埋め込み部１０２にて調査票の回答検査に必要なデータを入力する（ステップＳ２０２〜Ｓ２０４）。
【００６７】
まず，調査票に存在する設問数をオペレータ入力により指定する（ステップＳ２０２）。次に，各設問の名称，設問に含まれる回答欄の数，およびこの設問に対する前提設問と回答欄をオペレータ入力により指定する（ステップＳ２０３）。次に，各回答欄の種別，およびこの回答欄に対する前提設問と回答欄をオペレータ入力により指定する（ステップＳ２０４）。
【００６８】
以上の動作を図３（ａ）に示す調査票について行った場合について以下に説明する。同図の調査票は「Ｑ１」，「Ｑ２」，「Ｑ３」，「Ｑ４」の４つの設問が用意されており，２０歳代（２０歳〜２９歳）を対象とした調査のために用意されたものである。それぞれ以下のような設問となっている。
●Ｑ１は３つの選択肢から１つだけ選ぶシングルアンサー（単一回答）の設問である。３つの「チェックボックス」が回答欄として用意されており，選んだ選択肢のチェックボックスにチェックを記入する。
●Ｑ２はＱ１で「りんご」を選択したことを前提とする設問である。自由に記載できる「自由記載欄」が回答欄として用意されている。
●Ｑ３はＱ１で「ぶどう」または「トマト」を選択したことを前提とする設問であり，該当するものをすべて選ぶマルチアンサー（複数回答）の設問である。３つの「チェックボックス」が回答欄として用意されており，選んだすべての選択肢のチェックボックスにチェックを記入する。ただし，「くだもの屋で買う」はＱ１で「ぶどう」を選んだ場合に選択されるべきものであり，「八百屋で買う」はＱ１で「トマト」を選んだ場合に選択されるべきものである。従って，この条件が各回答欄の前提となる。
●Ｑ４は年齢を問う設問であり，数値を記入する「数値記入欄」が回答欄として用意されている。ただし，この調査は２０歳代を対象としたものであるため，その回答結果に対しては２０〜２９という数値範囲が設定される。
【００６９】
このような調査票について，下記のフォーマットで表現した検査情報の一例を図３（ｂ）に示す。検査情報には，（Ａ）調査票全体について与えられる情報，（Ｂ）各設問ごとに与えられる情報，（Ｃ）各設問の各回答欄ごとに与えられる情報，がある。
【００７０】
（Ａ）以下は，調査票全体について与えられる情報である。
・設問数３１
調査票全体に含まれる設問数に関する情報である。なお，設問の種類（チェックボックス，自由記載欄，数値記入欄）ごとの設問数に関する情報としてもよい。
【００７１】
（Ｂ）以下は，各設問ごとに与えられる情報である。
・設問名３２−１〜３２−４
設問を区別するための情報である。具体的には，Ｑ１，Ｑ２，Ｑ３，・・・のように，通し番号とすることができる。
・回答数制限３３−１〜３３−４
チェックボックスについて，最小回答数〜最大回答数，または，数値記入欄について，最小値〜最大値に関する情報である。
・前提設問３４−１〜３４−４
前提設問名または前提設問の回答欄番号に関する情報である。
・回答欄数３５−１〜３５−４
設問がチェックボックスへの回答であるときに，チェックボックス数に関する情報である。
【００７２】
（Ｃ）以下は，各設問の各回答欄ごとに与えられる情報である。
・回答欄３６−１〜３６−４
回答欄の種別（チェックボックス，自由記載欄，数値記入欄など），および前提設問名または前提設問の回答欄番号に関する情報である。
【００７３】
図３（ａ）の調査票に基づいて作成された検査情報としては，図３（ｂ）に示したように，各設問について用意された回答欄は上から順に「回答欄１」〜「回答欄３」などと記し，シングルアンサーの設問は回答数の制限を「０〜１」，マルチアンサーの設問は回答数の制限を「０〜回答欄数」と記している。またＱ２およびＱ３については，それぞれの前提となっているＱ１の回答欄１（「りんご」）やＱ１の回答欄２，３（「ぶどう」または「トマト」）を前提設問として記している。Ｑ３についてはさらに回答欄２および３について，それぞれの前提となっているＱ１の回答欄２（「ぶどう」）や回答欄３（「トマト」）を各回答欄の前提設問として記している。
【００７４】
再び図２のフローチャートを参照すると，以上のようにして作成した検査情報は，各種バーコードなどの表現を用いて調査票画像に埋め込まれる（ステップＳ２０５）。この調査票画像を調査票印刷部１０３に伝送し，調査票を印刷する（ステップＳ２０６）。
【００７５】
以上，調査票発行装置１００の動作について説明した。
次に，回答検査装置１２０の動作について，図４を参照しながら説明する。
【００７６】
まず，調査票読み込み部１２１にて回答記入済み調査票を読み込み（ステップＳ４０１），得られた調査票スキャン画像から，検査情報取り出し部１２２にて検査情報を取り出す（ステップＳ４０２）。
【００７７】
次に，回答データ入力部１２３にて回答記入済み調査票をキーパンチャーが見ながら，回答内容をキーパンチ入力してデータ化する（ステップＳ４０３）。
【００７８】
次に，キーパンチ入力によりデータ化された回答内容に対し，取り出された検査情報を用いて，回答検査部１２４にて回答の検査を行う（ステップＳ４０４）。これは回答データを検査情報に照らし合わせ，以下の場合に，回答がエラーであると判断する。
・回答数が検査情報に記載された制限範囲を超えている場合（チェックボックスへのチェック数が制限範囲を超えている場合，または，数値記入欄への数値が制限範囲を超えている場合）
・回答欄への記入があるが，検査情報に記載された前提設問の回答欄に記入がない場合
・回答欄への記入がないが，検査情報に記載された前提設問の回答欄のいずれかに記入がある場合
【００７９】
そして，オペレータはエラーとして検出された回答について調査票を目視確認し，必要に応じて回答データを修正する（ステップＳ４０５）。
【００８０】
（第１の実施の形態の効果）
以上説明したように，本実施の形態によれば，回答データの検査に必要な情報を調査票に埋め込み印刷し，そして回答データを検査する際には回答済みの調査票から検査に必要な情報を読み出し，回答データを検査することが可能である。本実施の形態はこのようにして調査票への回答内容を検査する方法であるため，調査票だけで回答データを自動的に検査し，不具合のあるものを検出することが可能である。また，設問タイプや未記入書面の情報の管理，および回答データに対する全数検査や回答データの検査プログラムの準備などといった煩雑な作業が不要である。
【００８１】
なお，図１の回答データ入力部１２３では，回答記入済み調査票をキーパンチャーが見ながら入力するものとしたが，これは調査票読み込み部１２１で得られる調査票スキャン画像を見ながら入力することも可能である。
【００８２】
（第２の実施の形態）
第２の実施の形態は，第１の実施の形態に対し，さらに複数ページの調査票に対する回答検査を行えるようにし，また既存の検査情報を流用して検査できるようにしたものである。
【００８３】
図５は，本実施の形態にかかる回答検査システムの構成を示す説明図である。回答検査システム５０は，図５に示したように，図１の構成に対し，さらに検査情報保存部５２５を付加したものである。なお，他の構成要素については，第１の実施の形態と実質的に同様であるので，重複説明を省略する。すなわち，調査票発行装置５００の構成要素である，調査票画像作成部５０１，検査情報埋め込み部５０２，および調査票印刷部５０３，回答検査装置５２０の構成要素である，調査票埋め込み部５２１，検査情報取り出し部５２２，回答データ入力部５２３，および回答検査部５２４，ならびに調査票５１０については，第１の実施の形態の調査票発行装置１００の構成要素である，調査票画像作成部１０１，検査情報埋め込み部１０２，および調査票印刷部１０３，回答検査装置１２０の構成要素である，調査票埋め込み部１２１，検査情報取り出し部１２２，回答データ入力部１２３，および回答検査部１２４，ならびに調査票１１０とそれぞれ実質的に同様である。
【００８４】
検査情報保存部５２５は，検査情報取り出し部５２２より得た検査情報を複数ページ分保存する部分である。
【００８５】
次いで，回答検査システム５０の動作について説明する。
まず，調査票発行装置５００の動作について，図６を参照しながら説明する。
【００８６】
まず，調査表画像作成部５０１にて調査票の書面を表す画像データを作成する（ステップＳ６０１）。このとき，調査票の全ページの画像データを作成する。そして調査票の最初のページを処理対象として，以降の処理を行う。
【００８７】
まず，処理対象ページの設問数，ページ番号，ページ数を設定する（ステップＳ６０２）。そして，設問設定を行い（ステップＳ６０３），回答欄設定を行う（ステップＳ６０４）。これらの動作は第１の実施の形態と同様である。
【００８８】
これらの検査情報は，例えば以下に示すフォーマットのデジタルデータとして，各種バーコードなどの表現法により調査票に埋め込まれる（ステップＳ６０５）。検査情報には，（Ａ）調査票全体について与えられる情報，（Ｂ）各設問ごとに与えられる情報，（Ｃ）各設問の各回答欄ごとに与えられる情報，がある。
【００８９】
（Ａ）以下は，調査票全体について与えられる情報である。
・ページ番号，総ページ数
本実施の形態に特徴的な検査情報であり，調査票全体に含まれる総ページ数およびページ番号に関する情報である。
・設問数
調査票全体に含まれる設問数に関する情報である。なお，設問の種類（チェックボックス，自由記載欄，数値記入欄）ごとの設問数に関する情報としてもよい。
【００９０】
（Ｂ）以下は，各設問ごとに与えられる情報である。
・設問名
設問を区別するための情報である。具体的には，Ｑ１，Ｑ２，Ｑ３，・・・のように，通し番号とすることができる。
・回答数制限
チェックボックスについて，最小回答数〜最大回答数，または，数値記入欄について，最小値〜最大値に関する情報である。
・前提設問
前提設問名または前提設問の回答欄番号に関する情報である。
・回答欄数
設問がチェックボックスへの回答であるときに，チェックボックス数に関する情報である。
【００９１】
（Ｃ）以下は，各設問の各回答欄ごとに与えられる情報である。
・回答欄
回答欄の種別（チェックボックス，自由記載欄，数値記入欄など），および前提設問名または前提設問の回答欄番号に関する情報である。
【００９２】
次に，全ページの検査情報埋め込みが完了したかどうかチェックする（ステップＳ６０６）。そしてまだ埋め込みを行っていないページがある場合は，そのページについて，ステップＳ６０２の設定処理に戻る。すべてのページについて埋め込みが完了した場合は，検査情報を埋め込んだ調査票を印刷する（ステップＳ６０７）。
【００９３】
以上，調査票発行装置５００の動作について説明した。
次に，回答検査装置５２０の動作について，図７を参照しながら説明する。
【００９４】
ステップＳ７０１，Ｓ７０２の動作については第１の実施の形態と同じであり，調査票の読み込み，検査情報の取り出しを行う。取り出された検査情報は検査情報保存部５２５に例えばファイルなどとして保存する。
【００９５】
次に，調査票からの検査情報取り出しが成功したかどうか確認する（ステップＳ７０３）。例えば検査情報をバーコードにより記載した場合，そのバーコード部分が汚れや破損などによって読み取り不可となっていることがある。この場合は読み込んだ調査票から検査情報が取り出せないため，すでに検査情報保存部５２５に保存されている検査情報のうちの１つを流用する検査情報として指定する（ステップＳ７０４）。
【００９６】
次に，調査票の全ページが終了したかどうかを判断する（ステップＳ７０５）。これは検査情報として埋め込まれているページ番号と総ページ数の情報を用い，すべてのページの検査情報が取り出されたかどうかを判断する部分である。まだ検査情報が取り出されていないページがある場合は，ステップＳ７０１に戻って調査票のスキャンから再実行する。
【００９７】
次に，回答データ入力部５２３にて全ページの回答内容をキーパンチ入力してデータ化する（ステップＳ７０６）。次に，回答検査部５２４にて回答の検査を行う（ステップＳ７０７）。これは第１の実施の形態と同様，回答データ入力部５２３より得られた回答データを調査票から取り出した検査情報に照らし合わせ，エラーを検出する。ただし，流用指定を行った場合には指定された流用元の検査情報を用いて検査する。そして，オペレータはエラーとして検出された回答について調査票を目視確認し，回答データの修正を行う（ステップＳ７０８）。
【００９８】
（第２の実施の形態の効果）
以上説明したように，本実施の形態によれば，複数ページからなる調査票の回答内容のキーパンチ入力結果を調査票だけで自動的に検査することができ，さらに埋め込まれた検査情報が汚損等で読みとれない場合でも自動的に検査することができる。
【００９９】
なお，複数部の調査票を一括処理する場合には，検査情報に調査票を部単位で識別する番号（連番）を付与し利用することで，検査処理を部ごとに行うことが可能となる。
【０１００】
（第３の実施の形態）
第３の実施の形態は，第２の実施の形態に対し，さらに調査票の回答内容を自動的にデータ化できるようにしたものである。
【０１０１】
図８は，本実施の形態にかかる回答検査システムの構成を示す説明図である。回答検査システム８０は，図８に示したように，図５に示した第２の実施の形態の構成に対し，検査情報埋め込み部５０２を検査情報・データ化情報埋め込み部８０２に変更し，検査情報取り出し部５２２を検査情報・データ化情報取り出し部８２２に変更し，検査情報保存部５２５を検査情報・データ化情報保存部８２５に変更したものである。なお，他の構成要素については，第２の実施の形態と実質的に同様であるので，重複説明を省略する。すなわち，調査票発行装置８００の構成要素である，調査票画像作成部８０１，および調査票印刷部８０３，回答検査装置８２０の構成要素である，調査票埋め込み部８２１，回答データ入力部８２３，および回答検査部８２４，ならびに調査票８１０については，第２の実施の形態の調査票発行装置５００の構成要素である，調査票画像作成部５０１，および調査票印刷部５０３，回答検査装置５２０の構成要素である，調査票埋め込み部５２１，回答データ入力部５２３，および回答検査部５２４，ならびに調査票５１０とそれぞれ実質的に同様である。
【０１０２】
検査情報埋め込み部８０２は，調査票に，回答の自動データ化に必要なデータ化情報をさらに埋め込む。同様に，検査情報・データ化情報取り出し部８２２は，検査情報に加えさらにデータ化情報を取り出し，検査情報・データ化情報保存部８２５は，検査情報に加えさらにデータ化情報を保存する。
【０１０３】
次いで，回答検査システム８０の動作について説明する。
まず，調査票発行装置８００の動作について，図９を参照しながら説明する。
【０１０４】
ステップＳ９０１〜Ｓ９０４の動作については第２の実施の形態と同じであり，調査票画像の作成および検査情報の設定が行われる。
【０１０５】
次に，作成した調査票画像に対し回答データ化に必要な情報を設定する（ステップＳ９０５）。これは例えば，特開平１１−２６５４２２号公報（特許文献２）に記載のマーク未記入の帳票画像と，書面のチェック領域を指定する情報とすることも可能である。また調査票画像における各回答欄の座標位置とすることもできる。
【０１０６】
次に，検査情報および回答データ化情報を調査票に埋め込む（ステップＳ９０６）。このうち検査情報は第２の実施の形態と同じフォーマットで埋め込むことができる。また，例えば特開２００３−１０１７６２「透かし情報埋め込み装置，および，透かし情報検出装置」に記載の方法を用いれば，前記情報を調査票の地紋として埋め込むことができるので，限られた紙面を占有しない点で好適である。特開２００３−１０１７６２「透かし情報埋め込み装置，および，透かし情報検出装置」に記載の技術については上述の通りである。
【０１０７】
次に，全ページの埋め込みが完了したかどうかチェックする（ステップＳ９０７）。そしてまだ埋め込みを行っていないページがある場合は，そのページについてステップＳ９０２の設定処理に戻る。すべてのページについて埋め込みが完了した場合は，埋め込んだ調査票を印刷する（ステップＳ９０８）。
【０１０８】
以上，調査票発行装置８００の動作について説明した。
次に，回答検査装置８２０の動作について，図１０を参照しながら説明する。
【０１０９】
まず，調査票読み込み部８２１にて回答が記入された調査票を読み込む（ステップＳ１００１）。この結果，調査票のスキャン画像が得られる。次に，検査情報・データ化情報取り出し部８２２にてスキャン画像から検査情報，データ化情報が取り出される（ステップＳ１００２）。取り出された検査情報，データ化情報は検査情報・データ化情報保存部８２５に，例えばファイルなどの形態で保存される。
【０１１０】
次に，検査情報やデータ化情報の取り出しができたかどうかを確認する（ステップＳ１００３）。取り出しに失敗した場合には，第２の実施の形態と同様，すでに検査情報・データ化情報保存部８２５に保存されている検査情報のうちの１つを流用する検査情報として指定する（ステップＳ１００４）。
【０１１１】
次に，取り出したデータ化情報に基づく回答内容の自動データ化が行われる（ステップＳ１００５）。回答記入の有無検知には，例えば，特開平１１−２６５４２２号公報（特許文献２）に記載の差分画像上の黒画素数を計数するものの他，例えば座標位置で指定された回答欄における黒画素数や特定の特徴量（エッジ量など）を求めるものなど，さまざまな手法を適用することができる。また，回答記入位置からデータ化を行うには，特開平１１−２６５４２２号公報（特許文献２）に記載の領域情報を用いるものの他，例えば指定枠内であれば所定の回答欄への回答データとすることなどが可能である。
【０１１２】
次に，調査票の全ページが終了したかどうかを判断する（ステップＳ１００６）。これは検査情報として埋め込まれているページ番号と総ページ数の情報を用い，すべてのページの検査情報が取り出されたかどうかを判断する部分である。まだ検査情報が取り出されていないページがある場合は，ステップＳ１００１〜Ｓ１００５の処理を繰り返し行う。
【０１１３】
次に，回答検査部８２４にて回答の検査を行う（ステップＳ１００７）。これは第２の実施の形態と同様，回答データ入力部８２３より得られた回答データを調査票から取り出した検査情報に照らし合わせ，エラーを検出する。そして，オペレータはエラーとして検出された回答について調査票を目視確認し，回答データの修正を行う（ステップＳ１００８）。
【０１１４】
（第３の実施の形態の効果）
以上説明したように，本実施の形態によれば，複数ページからなる調査票の回答内容を調査票だけで自動的にデータ化し，検査することができる。
【０１１５】
なお，複数部の調査票を一括処理する場合には，検査情報に調査票を部単位で識別する番号（連番）を付与し利用することで，検査処理を部ごとに行うことが可能となる。
【０１１６】
（第４の実施の形態）
第４の実施の形態は，第２の実施の形態に対し，さらに既存の検査情報を流用できるようにしたものである。これはすでに実施した調査票の一部を修正して発行する場合に好適なものである。
【０１１７】
図１１は，本実施の形態にかかる回答検査システムの構成を示す説明図である。回答検査システム１１１は，図１１に示したように，図５に示した第２の実施の形態の構成に対し，さらに検査情報保存部１１０４を追加したものである。なお，他の構成要素については，第２の実施の形態と実質的に同様であるので，重複説明を省略する。すなわち，調査票発行装置１１００の構成要素である，調査票画像作成部１１０１，検査情報埋め込み部１１０２，および調査票印刷部１１０３，回答検査装置１１２０の構成要素である，調査票埋め込み部１１２１，検査情報取り出し部１１２２，回答データ入力部１１２３，回答検査部１１２４，および検査情報保存部１１２５，ならびに調査票１１１０については，第２の実施の形態の調査票発行装置５００の構成要素である，調査票画像作成部５０１，検査情報埋め込み部５０２，および調査票印刷部５０３，回答検査装置５２０の構成要素である，調査票埋め込み部５２１，検査情報取り出し部５２２，回答データ入力部５２３，回答検査部５２４，および検査情報保存部５２５，ならびに調査票５１０とそれぞれ実質的に同様である。
【０１１８】
検査情報保存部１１０４は検査情報埋め込み部１１０２より得た検査情報を複数ページ分保存する部分である。
【０１１９】
次いで，回答検査システム１１１の動作について説明する。
まず，調査票発行装置１１００の動作について，図９を参照しながら説明する。
【０１２０】
まず，調査表画像作成部１１０１にて調査票の書面を表す画像データを作成する（ステップＳ１２０１）。このとき，調査票の全ページの画像データを作成する。そして調査票の最初のページを処理対象として，以降の処理を行う。
【０１２１】
次に，処理対象ページの検査情報を新規に作成するか，すでに検査情報保存部１１０４に保存されている検査情報を流用するかを選択する（ステップＳ１２０２）。
【０１２２】
検査情報を新規に作成する場合は，第２の実施の形態と同様，ステップＳ１２０３〜Ｓ１２０６において検査情報を設定する。一方，検査情報を流用する場合には，ステップＳ１２０６において検査情報保存部１１０４に保存されている検査情報から流用するものを選択する。そして，第２の実施の形態と同様，検査情報を調査票に埋め込む（ステップＳ１２０７）。
【０１２３】
以降，ステップＳ１２０８〜Ｓ１２０９までの処理は，第２の実施の形態と同様であり，全ページについて埋め込みを行った後，調査票を印刷する。
【０１２４】
以上，調査票発行装置１１００の動作について説明した。
回答検査装置１１２０の動作については，第２の実施の形態と実質的に同様であるため，重複説明を省略する。
【０１２５】
（第４の実施の形態の効果）
以上説明したように，本実施の形態によれば，新しく作成する調査票の検査情報として，すでに保存されている検査情報の流用が可能である。検査情報は図３に示すように調査票に含まれるすべての設問および回答欄についての記述が必要であるが，一度ひな形となる検査情報を作成すれば流用することで少ない作業で検査情報を用意できる。従って，表形式の調査票など多数の回答欄を含む場合に，調査票の作成を効率的に行う点で有効である。なお，検査情報にあわせてデータ化情報も保存し流用することもできる。
【０１２６】
以上，添付図面を参照しながら本発明にかかる回答検査システム，調査票発行装置，回答検査装置，調査票発行方法，および回答検査方法の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０１２７】
例えば，本発明の調査票の回答検査方法は，いわゆるアンケート調査の調査票だけでなく，例えばＯＣＲ（Ｏｐｔｉｃａｌ  Ｃｈａｒａｃｔｅｒ  Ｒｅａｄｉｎｇ）等の文字認識手段と組合せ，帳票の読み取りや答案の検査などに利用することができる。
【０１２８】
また，本発明の調査票の回答検査方法は，例えばプリンタやスキャナが接続されたコンピュータ上のプログラムにより実行できる他，コピー機やファックスにプログラムを搭載させて実行することもできる。本発明の方法を記載したプログラムの配給はＣＤ−ＲＯＭなどの記録媒体による方法の他，例えばインターネットなどのネットワークを介してこれを提供することも可能である。
【０１２９】
また，本発明は，ＡＳＰ（Ａｐｐｌｉｃａｔｉｏｎ  Ｓｅｒｖｉｃｅ  Ｐｒｏｖｉｄｅｒ）に応用することも可能である。図１３は，ＡＳＰに応用した一例を示す説明図である。図１３に示したように，コンピュータ１３００は，ネットワーク１３５０を介して調査票発行装置１００に対して調査票発行依頼を出し，発行された調査票をネットワーク１３５０を介して受け取ることができる。また，コンピュータ１３００は，ネットワーク１３５０を介して回答検査装置１２０に対して調査票の回答検査依頼を出し，回答検査結果をネットワーク１３５０を介して受け取ることができる。このような形態によれば，コンピュータ１３００に調査票発行や回答検査のためのソフトウェアなどを導入しておく必要がなくなり，コンピュータ１３００における処理負担の軽減を図ることが可能である。
【産業上の利用可能性】
【０１３０】
本発明は，例えばアンケート調査票の書面に記入された回答などの内容を検査する技術に関するものであり，特に，調査票発行装置，回答検査装置，およびこれらをシステム構成要素として含む回答検査システム，調査票発行方法，および回答検査方法に利用可能である。さらには，本発明をＡＳＰとして実施することも可能である。
【図面の簡単な説明】
【０１３１】
【図１】第１の実施の形態にかかる回答検査システムの構成を示す説明図である。
【図２】第１の実施の形態にかかる調査票発行装置の動作を示すフローチャートである。
【図３（ａ）】調査票の一例を示す説明図である。
【図３（ｂ）】検査情報の一例を示す説明図である。
【図４】第１の実施の形態にかかる回答検査装置の動作を示すフローチャートである。
【図５】第２の実施の形態にかかる回答検査システムの構成を示す説明図である。
【図６】第２の実施の形態にかかる調査票発行装置の動作を示すフローチャートである。
【図７】第２の実施の形態にかかる回答検査装置の動作を示すフローチャートである。
【図８】第３の実施の形態にかかる回答検査システムの構成を示す説明図である。
【図９】第３の実施の形態にかかる調査票発行装置の動作を示すフローチャートである。
【図１０】第３の実施の形態にかかる回答検査装置の動作を示すフローチャートである。
【図１１】第４の実施の形態にかかる回答検査システムの構成を示す説明図である。
【図１２】第４の実施の形態にかかる調査票発行装置の動作を示すフローチャートである。
【図１３】ＡＳＰに応用した一例を示す説明図である。
【符号の説明】
【０１３２】
１０  回答検査システム
１００  調査票発行装置
１０１  調査票画像作成部
１０２  検査情報埋め込み部
１０３  調査票印刷部
１１０  調査票
１２０  回答検査装置
１２１  調査票読み込み部
１２２  検査情報取り出し部
１２３  回答データ入力部
１２４  回答検査部
５２５  検査情報保存部
８０２  検査情報・データ化情報埋め込み部
８２２  検査情報・データ化情報取り出し部
８２５  検査情報・データ化情報保存部
１１０４  検査情報保存部
１３００  コンピュータ
１３５０  ネットワーク
【図１】
2005050216.tif 000003
【図２】
2005050216.tif 000004
【図３（ａ）】
2005050216.tif 000005
【図３（ｂ）】
2005050216.tif 000006
【図４】
2005050216.tif 000007
【図５】
2005050216.tif 000008
【図６】
2005050216.tif 000009
【図７】
2005050216.tif 000010
【図８】
2005050216.tif 000011
【図９】
2005050216.tif 000012
【図１０】
2005050216.tif 000013
【図１１】
2005050216.tif 000014
【図１２】
2005050216.tif 000015
【図１３】
2005050216.tif 000016